【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
所定周波数の正弦波信号である基音信号を形成する基音形成部と、
上記所定周波数の整数倍の周波数であって、その周波数が互いに異なる複数の倍音信号を形成する倍音形成部と、
上記基音信号と上記倍音信号とを加算してテストトーン信号を形成する加算部と、
上記倍音形成部を制御して、第１の組の倍音信号と、少なくとも１部の周波数が上記第１の組の周波数とは異なる第２の組の倍音信号とを形成させる制御部と
を備え、
この制御部は、上記第１の組の倍音信号を含むテストトーン信号と、上記第２の組の倍音信号を含むテストトーン信号とを、所定の期間ごとに出力する
ようにしたテストトーン信号の形成回路。
【請求項２】
請求項１に記載のテストトーン信号の形成回路において、
上記基音形成部は、
１サイクル分の正弦波信号を表すデジタルデータを保存しているメモリと、
上記デジタルデータを上記メモリからｍ番地（ｍは自然数）ごとにｍ回繰り返して読み出すことにより、上記所定周波数の基音信号を形成する読み出し部と
を備え、
上記倍音形成部は、
上記基音信号を、ｐサンプル（ｐは２以上の整数）ごとにｐ回繰り返して取り出して上記所定周波数のｐ倍の周波数の倍音信号を形成する
ようにしたテストトーン信号の形成回路。
【請求項３】
請求項２に記載のテストトーン信号の形成回路において、
上記所定の期間は、上記メモリに保存される１サイクル分の正弦波信号の２サイクル分の期間に等しい長さである
ようにしたテストトーン信号の形成回路。
【請求項４】
所定周波数の正弦波信号である基音信号を形成し、
上記所定周波数の整数倍の周波数であって、その周波数が互いに異なる第１の組の倍音信号を形成し、
上記所定周波数の整数倍の周波数であって、その周波数が互いに異なり、かつ、少なくとも１部の周波数が上記第１の組の周波数と異なる第２の組の倍音信号を形成し、
上記基音信号と上記第１の組の倍音信号とを加算して第１のテストトーン信号を形成し、
上記基音信号と上記第２の組の倍音信号とを加算して第２のテストトーン信号を形成し、
上記第１のテストトーン信号と上記第２のテストトーン信号を所定の期間ごとに出力する
ようにしたテストトーン信号の形成方法。
【請求項５】
請求項４に記載のテストトーン信号の形成方法において、
上記基音信号は、１サイクル分の正弦波信号を表すデジタルデータを、ｍサンプル（ｍは自然数）ごとにｍ回繰り返して取り出して形成され、
上記倍音信号のそれぞれは、上記基音信号から、ｐサンプル（ｐは２以上の整数）ごとにｐ回繰り返して取り出して形成される
ようにしたテストトーン信号の形成方法。
【手続補正２】
【補正対象書類名】明細書
【補正対象項目名】０００９
【補正方法】変更
【補正の内容】
【０００９】
この発明においては、
所定周波数の正弦波信号である基音信号を形成する基音形成部と、
上記所定周波数の整数倍の周波数であって、その周波数が互いに異なる複数の倍音信号を形成する倍音形成部と、
上記基音信号と上記倍音信号とを加算してテストトーン信号を形成する加算部と、
上記倍音形成部を制御して、第１の組の倍音信号と、少なくとも１部の周波数が上記第１の組の周波数とは異なる第２の組の倍音信号とを形成させる制御部と
を備え、
この制御部は、上記第１の組の倍音信号を含むテストトーン信号と、上記第２の組の倍音信号を含むテストトーン信号とを、所定の期間ごとに出力する
ようにしたテストトーン信号の形成回路
とするものである。
【手続補正３】
【補正対象書類名】明細書
【補正対象項目名】００１８
【補正方法】変更
【補正の内容】
【００１８】
さらに、メモリからデジタルデータＤDを読み出す場合、３番地につき１番地の割り合いで読み出すとともに、その読み出しを３回繰り返すときには、図１Ｂにｍ＝３として示すように、期間ＴNに３倍の周波数３ｆ1（＝35.16Hz）の正弦波信号Ｓ3を３サイクル得ることができる。
【手続補正４】
【補正対象書類名】明細書
【補正対象項目名】００６４
【補正方法】変更
【補正の内容】
【００６４】
続いて準備期間ＴRに、被試験スピーカにテストトーン信号ＳTTを供給するとともに、その被試験スピーカから出力されるテストトーンを収音する。そして、その収音により得られた応答信号ＳTTを周波数解析し、例えば図７Ａに示すように、周波数成分ごとに、そのレベルを求める。図７Ａにおいては、信号Ｓx1〜Ｓx6が、基音信号Ｓmおよび５つの倍音信号Ｓmp〜Ｓmpにより得られた周波数成分であり、他の周波数成分は暗騒音によるものとする。なお、一般に、信号Ｓx1〜Ｓx6は、スピーカの周波数特性によりレベルが異なるとともに、暗騒音の周波数成分も含んでいる。
【手続補正５】
【補正対象書類名】明細書
【補正対象項目名】００９０
【補正方法】変更
【補正の内容】
【００９０】
〔９〕  信号形成回路３１の例
図９は、信号形成回路３１を個別の回路により構成した場合の一例を示す。この例においては、ＲＯＭ４１に、図１Ａに示すように、正弦波信号Ｓ1の１サイクルに変換されるデジタルデータＤDが格納されている。そして、期間ＴNに、このデジタルデータＤDが、ＲＯＭ４１のｍ番地につき１番地の割り合いで読み出されるとともに、その読み出しがｍ回繰り返されて正弦波信号Ｓmが取り出され、この信号Ｓmがメモリ４２１に保存される。
【手続補正６】
【補正対象書類名】明細書
【補正対象項目名】００９１
【補正方法】変更
【補正の内容】
【００９１】
そして、このメモリ４２１の信号Ｓmが、メモリ４２１のｐ番地につき１番地の割り合いで読み出されるとともに、その読み出しがｐ回繰り返されて倍音信号Ｓmpが取り出される。また、この倍音信号Ｓmpの取り出しは、次数ｐを図３に示すように変更して５回行われる。すなわち、例えば音名Ａ#でｋ＝１の場合には、ｐ＝２、４、11、20、33とされているので、１回目の取り出しのときには、ｐ＝２とされて信号Ｓmpが取り出され、２回目の取り出しのときには、ｐ＝４とされて信号Ｓmpが取り出され、・・・、５回目の取り出しのときには、ｐ＝33とされて信号Ｓmpが取り出される。
【手続補正７】
【補正対象書類名】明細書
【補正対象項目名】００９４
【補正方法】変更
【補正の内容】
【００９４】
なお、端子４５に取り出された信号は、テストトーン信号ＳTTの１チャンネル分であり、図３および図６の場合には、テストトーン信号ＳTTは同時に３チャンネルを処理している。したがって、図９の形成回路３１は、さらに２チャンネル分が用意され、各チャンネルの加算信号を合成した信号がテストトーン信号ＳTTとなる。また、ＤＳＰやＣＰＵにより信号形成回路３１を構成する場合には、ＲＯＭ４１のデジタルデータＤDに対してメモリ４２１以降の処理を行えばよい。
【手続補正８】
【補正対象書類名】明細書
【補正対象項目名】０１０２
【補正方法】変更
【補正の内容】
【０１０２】
そして、この場合、ステップ１１２におけるテストトーン信号ＳTTの形成と平行して図５に示すタイミングで、図１１に示すルーチン１２０が実行される。すなわち、このルーチン１２０においては、処理はステップ１２１からスタートし、次にステップ１２２において、解析期間ＴAにＡ／Ｄコンバータ回路３５から出力される応答信号ＳTTが制御回路３２に取り込まれて周波数解析され、ステップ１２３において、ステップ１２２により解析された周波数成分は、対応するスピーカ（チャンネル）ごとに分離される。なお、この分離は、トーン周波数リストおよびトーンシーケンスリストを参照して実行される。